(57)【要約】【課題】袖壁パネルと壁本体との間の空隙及び段差が美観を損なうことを防止し、意匠性を向上させることができる引戸構造施工方法及び引戸構造を提供する。【解決手段】壁本体５に形成された開口５ａの内側周縁に、鴨居２１、敷居２２、中方立２３及び縦枠２４１，２４２を備える建具枠２が取り付けられ、取り付けられた建具枠２の鴨居２１及び敷居２２に滑動可能に引戸４が配されている。建具枠２には、鴨居２１、中方立２３及び縦枠２４１と袖壁パネル３の端面とを対向させて、袖壁パネル３が取り付けられている。袖壁パネル３は、引戸４と同色及び同柄であり、採光窓３２１，３２２、及び物品の掛止が可能な掛止レール３３１，３３２を有する。【選択図】図１
2007247150.tif 000002
【特許請求の範囲】
【請求項１】
壁本体に形成された開口の内側周縁に、鴨居、敷居及び縦枠を備える建具枠を取り付け、
取り付けられた建具枠に袖壁パネルを取り付け、
前記建具枠の前記鴨居及び前記敷居に滑動可能に引戸を配する引戸構造施工方法であって、
夫々前記鴨居、前記敷居及び前記縦枠となる部材を用いて建具枠を組み立て、
組み立てられた建具枠の少なくとも前記縦枠と前記袖壁パネルの端面とを対向させて、前記建具枠に前記袖壁パネルを取り付けることを特徴とする引戸構造施工方法。
【請求項２】
前記袖壁パネルを取り付ける前に、前記建具枠を前記開口の内側周縁に仮固定し、
仮固定された建具枠の内側に、前記袖壁パネルを取り付けるための取付補助部材を突設し、
突設された取付補助部材に前記袖壁パネルの一面側端部を突き当てつつ、前記建具枠の少なくとも前記縦枠と前記袖壁パネルの端面とを対向させて、前記取付補助部材に前記袖壁パネルを固定し、
前記取付補助部材を介して前記袖壁パネルが取り付けられた前記建具枠を前記開口の内側周縁に本固定することを特徴とする請求項１に記載の引戸構造施工方法。
【請求項３】
前記建具枠の内側に前記取付補助部材を突設する場合に、前記建具枠に対して前記取付補助部材を位置決めするための治具を用いることを特徴とする請求項２に記載の引戸構造施工方法。
【請求項４】
壁本体に形成された開口の内側周縁に、鴨居、敷居及び縦枠を備える建具枠が取り付けられ、
取り付けられた建具枠に袖壁パネルが取り付けられ、
前記建具枠の前記鴨居及び前記敷居に滑動可能に引戸が配されている引戸構造であって、
前記建具枠の少なくとも前記縦枠と前記袖壁パネルの端面とを対向させて、前記建具枠に前記袖壁パネルが取り付けられていることを特徴とする引戸構造。
【請求項５】
前記袖壁パネルの対応する一辺に沿う棒状であって、前記袖壁パネルを取り付けるための取付補助部材が前記建具枠の内側に突設されており、
前記取付補助部材に、前記袖壁パネルの一面側端部を突き当てて、前記袖壁パネルが固定されていることを特徴とする請求項４に記載の引戸構造。
【請求項６】
前記一面側端部に凹部が形成されており、
該凹部に前記取付補助部材が嵌め合わされており、
前記取付補助部材と前記袖壁パネルとの間の空隙を覆う被覆部が前記取付補助部材に一体に設けられていることを特徴とする請求項５に記載の引戸構造。
【請求項７】
前記袖壁パネルに、採光窓が設けられていることを特徴とする請求項４乃至６の何れか一項に記載の引戸構造。
【請求項８】
前記袖壁パネルに、物品の掛止が可能なレールが設けられていることを特徴とする請求項４乃至７の何れか一項に記載の引戸構造。
【請求項９】
前記建具枠は中方立を有し、
該中方立と前記引戸との間の空隙を塞ぐエラストマ製の空隙低減部材が前記中方立に突設されていることを特徴とする請求項４乃至８の何れか一項に記載の引戸構造。
【請求項１０】
前記袖壁パネルと前記引戸とが同色及び／又は同柄であることを特徴とする請求項４乃至９の何れか一項に記載の引戸構造。
【発明の詳細な説明】
【技術分野】
【０００１】
本発明は、壁本体に形成された開口の内側に袖壁パネルを配することによって、引戸が引き込まれる袖壁を設ける引戸構造施工方法及び引戸構造に関する。
【背景技術】
【０００２】
例えば１枚の引戸（片引戸）を備える引戸構造は、部屋、廊下等を仕切る壁本体に、引戸の移動方向に袖壁が延設された開口が形成してあり、そして、引戸を袖壁に対して引き込み、また引き出すことで壁本体の開口を開閉するようにしてある。
従来の袖壁は、壁本体に一体に形成されており、このため、引戸構造の施工は、まず、開口を有する壁本体及び袖壁の形成、次に壁本体に対する建具枠の取り付け、そして最後に引戸の取り付けの順に行なわれる（特許文献１参照）。
【０００３】
しかしながら、袖壁は壁本体よりも薄く、また、壁本体開口の形状が複雑になることから、壁本体に対する袖壁の一体形成、更には引戸構造の形成のために、煩雑な作業、長時間の作業等を要するという問題がある。しかも袖壁は作業者が壁本体と共に形成するため、高精度に設けるには作業者の熟練を要するという問題がある。
また、袖壁が壁本体に一体形成されているため、壁本体開口の形状を変更すること（袖壁のサイズ変更、袖壁の撤去等）が困難又は不可能という問題がある。
【０００４】
これらの問題を解決するために、壁本体に形成された矩形状の開口の内側周縁に建具枠を取り付け、この建具枠に袖壁パネルを取り付けることによって、壁本体に一体的な袖壁を設ける引戸構造施工方法及び引戸構造が提案されている（特許文献２参照）。
【０００５】
この場合、袖壁パネルは引戸のサイズに応じて簡易に形成することができる。また、引戸構造の施工が、まず、開口を有する壁本体の形成、次に壁本体に対する建具枠の取り付け、次いで建具枠に対する袖壁パネルの取り付け、そして最後に引戸の取り付けの順に行なわれるため、袖壁を容易に形成することができる。更に、袖壁パネルを用いてなる袖壁と壁本体とが別体であることから壁本体開口の形状が単純になる。以上のことから、袖壁の形成作業、更には引戸構造の形成作業が簡易かつ短時間になる。
また、袖壁と壁本体とが別体であるため、壁本体開口の形状を変更することが簡単である。
【特許文献１】特開２００４−１９１８８号公報
【特許文献２】特開２００２−３２２８７９号公報
【発明の開示】
【発明が解決しようとする課題】
【０００６】
特許文献２に開示されている引戸構造は、建具枠の端面に対して袖壁パネルの一面を対向させて取り付けてあり、このため、袖壁パネル端面と壁本体の開口端面とが直接的に対向し、袖壁パネル表面と壁本体表面とが一面的に隣接している。
【０００７】
さて、一般に、壁本体開口の形成精度（寸法、水平面、垂直面等の精度）を向上させることは困難である。このため、袖壁パネル端面と壁本体の開口端面との間には空隙が生じ易い。また、袖壁パネル表面と壁本体表面との間に段差が生じ易い。
このような袖壁パネルと壁本体との間の空隙及び段差は引戸構造の美観を損なう。しかも、この空隙及び段差を低減するための作業は煩雑であり、長時間を要する。
【０００８】
その上、袖壁パネル表面と壁本体表面とが一面的に隣接しているため、袖壁パネルの色柄を壁本体の色柄に合わせる必要があり、引戸構造の意匠性を向上させることができない。
【０００９】
本発明は斯かる事情に鑑みてなされたものであり、その主たる目的は、鴨居、敷居及び縦枠を有する建具枠の少なくとも縦枠と、袖壁パネルの端面とを対向させて、建具枠に袖壁パネルを取り付けることにより、袖壁パネルと壁本体との間の空隙及び段差が美観を損なうことを防止して、意匠性を向上させることができる引戸構造施工方法及び引戸構造を提供することにある。
【００１０】
本発明の他の目的は、壁本体の開口の内側周縁に仮固定された建具枠に、取付補助部材を用いて袖壁パネルを取り付けてから建具枠を本固定する構成とすることにより、建具枠及び袖壁パネルの取付精度を容易に向上させることができる引戸構造施工方法及び引戸構造を提供することにある。
【００１１】
本発明の他の目的は、取付補助部材の位置決めをするための治具を用いることにより、袖壁パネルの取付精度を容易に向上させることができる引戸構造施工方法を提供することにある。
【００１２】
本発明の他の目的は、袖壁パネルの一面側端部に形成された凹部に取付補助部材を嵌め合わせ、また、取付補助部材に一体に設けられている被覆部が、取付補助部材と袖壁パネルとの間の空隙を覆う構成とすることにより、意匠性を更に向上させることができる引戸構造を提供することにある。
【００１３】
本発明の他の目的は、採光窓が設けられた袖壁パネルを備えることにより、意匠性を向上させつつ、採光も行なうことができる引戸構造を提供することにある。
【００１４】
本発明の他の目的は、物品を掛止することが可能なレールが設けられた袖壁パネルを備えることにより、意匠性を向上させつつ、物品の掛止も行なうことができる引戸構造を提供することにある。
【００１５】
本発明の他の目的は、建具枠の中方立と引戸との間の空隙を塞ぐ空隙低減部材を備えることにより、密閉性を向上させることができる引戸構造を提供することにある。
【００１６】
本発明の更に他の目的は、同色及び／又は同柄の袖壁パネルと引戸とを備えることにより、意匠性を更に向上させることができる引戸構造を提供することにある。
【課題を解決するための手段】
【００１７】
第１発明に係る引戸構造施工方法は、壁本体に形成された開口の内側周縁に、鴨居、敷居及び縦枠を備える建具枠を取り付け、取り付けられた建具枠に袖壁パネルを取り付け、前記建具枠の前記鴨居及び前記敷居に滑動可能に引戸を配する引戸構造施工方法であって、夫々前記鴨居、前記敷居及び前記縦枠となる部材を用いて建具枠を組み立て、組み立てられた建具枠の少なくとも前記縦枠と前記袖壁パネルの端面とを対向させて、前記建具枠に前記袖壁パネルを取り付けることを特徴とする。
【００１８】
第２発明に係る引戸構造施工方法は、前記袖壁パネルを取り付ける前に、前記建具枠を前記開口の内側周縁に仮固定し、仮固定された建具枠の内側に、前記袖壁パネルを取り付けるための取付補助部材を突設し、突設された取付補助部材に前記袖壁パネルの一面側端部を突き当てつつ、前記建具枠の少なくとも前記縦枠と前記袖壁パネルの端面とを対向させて、前記取付補助部材に前記袖壁パネルを固定し、前記取付補助部材を介して前記袖壁パネルが取り付けられた前記建具枠を前記開口の内側周縁に本固定することを特徴とする。
【００１９】
第３発明に係る引戸構造施工方法は、前記建具枠の内側に前記取付補助部材を突設する場合に、前記建具枠に対して前記取付補助部材を位置決めするための治具を用いることを特徴とする。
【００２０】
第４発明に係る引戸構造は、壁本体に形成された開口の内側周縁に、鴨居、敷居及び縦枠を備える建具枠が取り付けられ、取り付けられた建具枠に袖壁パネルが取り付けられ、前記建具枠の前記鴨居及び前記敷居に滑動可能に引戸が配されている引戸構造であって、前記建具枠の少なくとも前記縦枠と前記袖壁パネルの端面とを対向させて、前記建具枠に前記袖壁パネルが取り付けられていることを特徴とする。
【００２１】
第５発明に係る引戸構造は、前記袖壁パネルの対応する一辺に沿う棒状であって、前記袖壁パネルを取り付けるための取付補助部材が前記建具枠の内側に突設されており、前記取付補助部材に、前記袖壁パネルの一面側端部を突き当てて、前記袖壁パネルが固定されていることを特徴とする。
【００２２】
第６発明に係る引戸構造は、前記一面側端部に凹部が形成されており、該凹部に前記取付補助部材が嵌め合わされており、前記取付補助部材と前記袖壁パネルとの間の空隙を覆う被覆部が前記取付補助部材に一体に設けられていることを特徴とする。
【００２３】
第７発明に係る引戸構造は、前記袖壁パネルに、採光窓が設けられていることを特徴とする。
【００２４】
第８発明に係る引戸構造は、前記袖壁パネルに、物品の掛止が可能なレールが設けられていることを特徴とする。
【００２５】
第９発明に係る引戸構造は、前記建具枠は中方立を有し、該中方立と前記引戸との間の空隙を塞ぐエラストマ製の空隙低減部材が前記中方立に突設されていることを特徴とする。
【００２６】
第１０発明に係る引戸構造は、前記袖壁パネルと前記引戸とが同色及び／又は同柄であることを特徴とする。
【発明の効果】
【００２７】
第１発明の引戸構造施工方法及び第４発明の引戸構造による場合、作業者は、例えば夫々工場生産された鴨居、敷居及び縦枠となる部材、袖壁となる袖壁パネルを１枚又は２枚、並びに１枚又は複数枚の引戸を準備し、準備した部材を用いて建具枠を、例えば床に寝かせて組み立て、組み立てられた建具枠の少なくとも縦枠と袖壁パネルの端面とを対向させて、建具枠に袖壁パネルを取り付ける。
ここで、作業者は、袖壁パネルが１枚の場合は建具枠の一側の縦枠と１枚の袖壁パネルの一側端面とを対向させ、袖壁パネルが２枚の場合は建具枠の両側の縦枠と２枚の袖壁パネル夫々の一側端面とを対向させる。
【００２８】
一般に、壁本体の開口上端の高さは天井の高さよりも低く、壁本体の開口上側には垂れ壁状に壁本体が存在する。この場合、袖壁パネルの上端面と鴨居とを対向させる必要がある。一方、壁本体の開口下端の高さは一般に床の高さに略等しく、壁本体の開口下側には壁本体が存在しない。この場合、袖壁パネルの下端面と敷居とを敢えて対向させる必要はない。
【００２９】
つまり、袖壁パネル端面と壁本体の開口端面とが直接的に対向せず、また、袖壁パネル表面と壁本体表面とが一面的に隣接しないように、袖壁パネルが建具枠に取り付けられていればよい。
更に、建具枠が中方立を有する場合は、袖壁パネルの他側端面が露出して美観を損なわないように、中方立と袖壁パネルの他側端面とを対向させることが好ましい。
【００３０】
鴨居、敷居及び縦枠を備える建具枠は、壁本体に形成された開口の内側周縁に取り付けられる。ここで、建具枠に対する袖壁パネルの取り付けは、壁本体に対する建具枠の取り付け（仮固定又は本固定）後でもよく、取り付け前でもよい。
壁本体の開口は、例えば矩形状のような単純な形状でよいため、簡易に形成することができる。
【００３１】
作業者は、鴨居、敷居及び縦枠となる部材夫々のサイズの調整を、壁本体又は壁本体に一体に設けられた袖壁のサイズの調整よりも容易に行なうことができる。また、作業者は、建具枠の壁本体に対する取り付けを、例えば従来の袖壁を設けない壁本体の開口の内側周縁に建具枠を取り付ける場合と同様に施工することができる。このとき、建具枠と壁本体との間の空隙が生じても、従来同様、この空隙を、例えばＬ字状の断面を有するケーシングによって被覆することができ、このケーシングによって、建具枠のサイズと壁本体の厚みとの差を吸収することができる。
【００３２】
つまり、壁本体の開口の形成精度が低い場合でも、建具枠の取り付けによって、袖壁パネルが取り付けられる部分の形成精度を向上させることができ、また、建具枠と壁本体との間の空隙を目隠しすることができる。
【００３３】
１枚又は複数枚の引戸は、壁本体開口の内側周縁に取り付けられた建具枠の鴨居及び敷居に滑動可能に配され、この引戸が袖壁に対して引き込まれ、また引き出されることで、壁本体の開口が開閉する。
【００３４】
このような引戸構造施工方法は、引戸のサイズに応じて袖壁パネルを簡易に形成することができ、しかも、単純な形状の壁本体開口の内側周縁に建具枠を容易に取り付けることができ、この建具枠に袖壁パネルを簡易に取り付けることで容易に袖壁を形成することができる。つまり、袖壁の形成作業、更には引戸構造の形成作業を簡易に、かつ短時間で行なうことができる。
また、袖壁パネルを取り付けるか取り付けないか、又は袖壁パネルのサイズを変更することによって、壁本体開口の形状を容易に変更することができる。
【００３５】
更に、このような引戸構造は、袖壁と壁本体との間に必ず建具枠が介在している。
つまり、袖壁と壁本体とが建具枠によって区切られており、袖壁表面、即ち袖壁パネル表面と壁本体表面とが一面的に隣接していないため、袖壁パネルの色柄を壁本体の色柄に合わせる必要がなく、袖壁パネルの色柄及び壁本体の色柄夫々によって引戸構造の意匠上の美観を向上させることができる。
【００３６】
また、袖壁パネル端面と壁本体の開口端面とが直接的に対向していないため、袖壁パネル端面と壁本体の開口端面との間には空隙が生じない。ここで、袖壁パネルと建具枠との間の空隙は、例えば後述する取付補助部材によって被覆することができる。
更に、袖壁パネル表面と壁本体表面との間に段差が生じたとしても、袖壁パネルと壁本体との間に建具枠が介在しているため、段差の存在が目立たない。
以上のことから、袖壁パネルと壁本体との間の空隙及び段差が引戸構造の美観を損なうことが防止される。
【００３７】
第２発明の引戸構造施工方法及び第５発明の引戸構造による場合、作業者は、まず、夫々鴨居、敷居及び縦枠となる部材を準備し、準備した部材を用いて建具枠を組み立て、組み立てられた建具枠を壁本体に形成された開口の内側周縁に仮固定する。
【００３８】
次に、作業者は、仮固定された建具枠の内側に、袖壁パネルを取り付けるための取付補助部材を突設し、突設された取付補助部材に袖壁パネルの一面側端部を突き当てつつ、建具枠の少なくとも縦枠と袖壁パネルの端面とを対向させて、取付補助部材に袖壁パネルを固定する。ここで、取付補助部材に袖壁パネルを固定することによって、取付補助部材を介して袖壁パネルが建具枠に取り付けられる。
最後に、作業者は、袖壁パネルが取り付けられた建具枠を壁本体開口の内側周縁に本固定する。
【００３９】
このような引戸構造施工方法は、壁本体に仮固定された建具枠に袖壁パネルを取り付ける際に、取付補助部材に袖壁パネルの一面側端部を突き当てることによって袖壁パネルを容易に位置決めし、また、袖壁パネルを取付補助部材に押し付けつつ固定することによって、建具枠に対する袖壁パネルの取付作業を容易にし、しかも、建具枠に対する袖壁パネルの取付精度を向上させることができる。
【００４０】
更に、袖壁パネルが取り付けられた建具枠を本固定する際に、建具枠は仮固定されているため、建具枠の取付状態を調整して、建具枠の取付精度を向上させることができる。
【００４１】
取付補助部材は、袖壁パネルの対応する一辺、即ち取付補助部材に突き当てられる袖壁パネルの一面側端部に係る一辺に沿う棒状であることが望ましい。この場合、袖壁パネルの端面と建具枠との間の空隙を、建具枠の内側に突設された取付補助部材で被覆することができる。
【００４２】
仮に、取付補助部材を用いなかった場合、建具枠に対する取付補助部材の位置決めは困難である。また、壁本体に仮固定されている建具枠に、例えば袖壁パネルの側部へ斜めに釘を打ち込んで袖壁パネルを固定する必要があるため、袖壁パネルの確実な取り付けが困難である。
【００４３】
更に、建具枠を壁本体に取り付ける前に、建具枠に袖壁パネルを取り付け、袖壁パネルが取り付けられた建具枠を壁本体に取り付けた場合、袖壁パネルが取り付けられた建具枠の取り回しが悪いため、建具枠の取付精度を向上させることが困難である。
更にまた、建具枠を壁本体に本固定してから建具枠に袖壁パネルを取り付けた場合、袖壁パネルの取り付け時に、壁本体に対する建具枠の取付精度が低下しても、建具枠の取付状態を調整することが困難である。
【００４４】
第３発明の引戸構造施工方法による場合、壁本体に形成された開口の内側周縁に仮固定された建具枠の内側に、袖壁パネルを取り付けるための取付補助部材を、治具を用いて突設する。
この治具は、建具枠に対する取付補助部材の位置決めを容易にするため、取付補助部材を正確な位置に、容易に突設することができる。また、この取付補助部材に袖壁パネルを突き当てて位置決めするため、袖壁パネルを正確な位置に、容易に固定することができる。つまり、袖壁パネルの取付精度を容易に向上させることができる。
【００４５】
第６発明の引戸構造による場合、袖壁パネルに関し、取付補助部材に突き合わされる一面側端部に凹部が形成され、この凹部に取付補助部材が嵌め合わされる。
仮に、袖壁パネル一面側端部に凹部が形成されていない場合、袖壁パネルの一面からの取付補助部材の突出高さは高くなる。しかしながら、凹部に取付補助部材を嵌め合わせることによって、袖壁パネルの一面からの取付補助部材の突出高さを低減することができ、引戸構造の美観を向上させることができる。
【００４６】
さて、凹部に対する取付補助部材の嵌め合わせによって、袖壁パネル凹部内の端面と、取付補助部材とが直接的に対向する。しかしながら、取付補助部材に一体に設けられている被覆部が、取付補助部材と袖壁パネルとの間の空隙を覆うため、美観を損なう空隙を目隠しすることができ、引戸構造の美観を向上させることができる。
【００４７】
第７発明の引戸構造による場合、袖壁パネルに採光窓が設けられているため、従来、窓を備えていなかった袖壁に採光窓を設けて、袖壁の意匠上の美観を向上させることができる。
しかも、採光窓を介して採光を行なうことができる。このため、引戸構造を備える部屋、廊下等の明るさを向上させることができる。
【００４８】
第８発明の引戸構造による場合、袖壁パネルにレールを設けて、袖壁の意匠上の美観を向上させることができる。
しかも、レールに物品を掛止することができる。このため、作業者、使用者等が、例えば物品の掛止が可能な吊り具を袖壁に追加する必要がない。
【００４９】
第９発明の引戸構造による場合、建具枠の中方立と引戸との間の空隙を、中方立に突設されている空隙低減部材で塞ぐ。このため、壁本体及び引戸構造で仕切られた部屋、廊下等の密閉性が向上し、暖房時の保温性、冷房時の保冷性等を向上させることができる。
【００５０】
このような空隙低減部材はエラストマを用いてなる。エラストマは、合成ゴム、天然ゴム等、常温で非常に大きな弾性を有する高分子物質であり、例えばＡＢＳ、ＰＰ等のような硬質の合成樹脂、木材、木質材等に比べて柔軟であり、容易に撓む。このため、例えば移動する引戸に対して空隙低減部材が擦過した場合でも、引戸が損傷することが防止される。
仮に、空隙低減部材を備えない場合、中方立と引戸との間の空隙から空気が出入りしやすいため、部屋、廊下等の密閉性が低下し、また、隙間風が生じて使用者が不快感を覚えることもある。
【００５１】
第１０発明の引戸構造による場合、袖壁パネルと引戸とが同色及び／又は同柄である。
袖壁と壁本体とが建具枠によって区切られており、袖壁である袖壁パネルの表面と壁本体の表面とが一面的に隣接していないため、袖壁パネルの色柄を壁本体の色柄ではなく引戸の色柄に合わせることができ、これによって、袖壁パネルのデザインと引戸のデザインとに統一性を持たせて、引戸構造の意匠上の美観を更に向上させることができる。
ここで、引戸と袖壁パネルとは、例えば工場生産によって容易に同色及び／又は同柄に形成することができる。
【発明を実施するための最良の形態】
【００５２】
以下、本発明を、その実施の形態を示す図面に基づいて詳述する。
【００５３】
図１は、本発明に係る引戸構造１の構成を示す正面図である。
また、図２は、図１におけるII−II線の断面図（水平断面図）であり、図３は、図２におけるIII −III 線の断面図（縦断面図）である。
図４は、引戸構造１が備える建具枠２の構成を示す分解斜視図であり、本発明に係る引戸構造施工方法における建具枠２の組み立て方法を示す説明図でもある。
引戸構造１は、屋内の２部屋を隔てる壁本体５に備えられ、建具枠２と、建具枠２の内側に配された各１枚の袖壁３０及び引戸４を有する右引きの片引戸構造である。
【００５４】
図１〜図３は、袖壁３０から引戸４を引き出した（即ち引戸４を閉めた）状態を示している。ここで、袖壁３０を構成する袖壁パネル３、及び引戸４は、夫々矩形状であり、木質系の板材で芯材を挟んでなるフラッシュ構造を有する。ただし、袖壁パネル３及び引戸４夫々の内部構造の詳細な図示は省略してある。また、図２及び図３において、後述する掛止レール３３１，３３２、幅木４４，４４等の図示は省略してある。
以下では、引戸４を開ける方向、即ち引戸４の袖壁３０への引き込み方向（図１及び図２の右方向、図３の手前方向）を右方向とする。
【００５５】
図２〜図３に示すように、壁本体５は、まぐさ５１及び間柱５２１，５２２、並びに図示しない支持柱夫々に板材を用いてなる壁板５０，５０を固定して形成されている。
この壁本体５には、左右側部に間柱５２１，５２２、上部にまぐさ５１を配して、矩形状の開口５ａが形成されている。
【００５６】
図１〜図４に示すように、建具枠２は、上部に鴨居２１、下部に敷居２２、左右方向中央部に中方立２３、左右側部に縦枠２４１，２４２を夫々備える矩形状であり、壁本体５の開口５ａの内側周縁に、図示しないビスを用いて取り付けられている。
鴨居２１、敷居２２、中方立２３及び縦枠２４１，２４２は夫々矩形状であり、木質系の板状部材を用いてなる。
【００５７】
鴨居２１の左右方向中央部の一側には、中方立２３の上部が嵌合する凹部２１ａが形成されている。
敷居２２は、左右方向中央部を中心に左側と右側とで幅が異なり、右側の幅（最少幅）は、例えば左側の幅（最大幅）の約２／３である。これは、中方立２３の下部及び袖壁パネル３の下部を配置すべく、敷居２２の一側の一隅に矩形状の切り欠き２２ｂが設けられているためである。また、敷居２２の左右方向中央部の切り欠き２２ｂ側には、鴨居２１の凹部２１ａに対応して、中方立２３の下部が嵌合する凹部２２ａが形成されている。
【００５８】
鴨居２１の幅、敷居２２の最大幅、及び縦枠２４１，２４２夫々の幅は略等しく、この幅は、壁本体５の厚みより適長短く設けられている。
中方立２３の幅は、縦枠２４１，２４２の幅の約１／２である。
【００５９】
縦枠２４１，２４２は、上部の一面を鴨居２１の長手方向両端面に、下部の一面を敷居２２の長手方向両端面に突き当てて固定されている。
鴨居２１及び縦枠２４１，２４２は、壁本体５の壁面から突出しないようにまぐさ５１及び間柱５２１，５２２を被覆して固定されている。敷居２２は、鴨居２１の下方、縦枠２４１，２４２の間に配されて床に固定されている。
中方立２３は、縦枠２４１，２４２に略平行に、鴨居２１中央部の凹部２１ａと敷居２２中央部の凹部２２ａとに上部及び下部を嵌め合わされて、鴨居２１及び敷居２２に固定されている。
【００６０】
図２及び図３に示すように、鴨居２１及び縦枠２４１，２４２夫々の幅方向両側端面には、長手方向に溝２１ｂ，２１ｂ，２４１ａ，２４１ａ，２４２ａ，２４２ａが形成されている。各溝２１ｂ，２４１ａ，２４２ａには、夫々横断面Ｌ字状の棒材を用いてなるケーシング（額縁）２５０，２５１，２５２の一側が嵌入して固定され、ケーシング２５０，２５１，２５２の他側は壁本体５に固定される。
【００６１】
ケーシング２５０，２５０，２５１，２５１，２５２，２５２は、壁本体５と鴨居２１及び縦枠２４１，２４２との間の空隙を被覆して、引戸構造１の美観を向上させている。
また、ケーシング２５０，２５０，２５１，２５１，２５２，２５２は、溝２１ｂ，２１ｂ，２４１ａ，２４１ａ，２４２ａ，２４２ａに対する嵌入長さを調整することによって、壁本体５の厚みと鴨居２１及び縦枠２４１，２４２夫々の幅との差を吸収している。
【００６２】
つまり、ケーシング２５０，２５０，２５１，２５１，２５２，２５２で壁本体５の開口５ａの形状と建具枠２外側の形状との差異を吸収している。このため、開口５ａの形成精度に関わらず、建具枠２内側の形成精度が向上されている。
【００６３】
建具枠２の鴨居２１及び敷居２２には、滑動可能に１枚の引戸４が配されており、このために、鴨居２１の下面及び敷居２２上面の対応する位置には、引戸４が滑動するための滑動レール３３１，３３２が左右方向に設けられている。
滑動レール３３１，３３２は凹状に形成してあり、この滑動レール３３１，３３２に、引戸４の上下端面に左右方向に設けられた突出条部４３１，４３２が滑動可能に遊嵌されている。
【００６４】
ところで、中方立２３の両側端面には、長手方向に溝２３ａ，２３ｂが形成されている。
引戸４側の溝２３ａには、アルミニウムを用いてなる横断面コ字状のケースが嵌合され、このケースの内部には、エラストマ製の空隙低減部材２３１が配されている。空隙低減部材２３１は横断面コ字状の棒材であり、コ字の両端側が引戸４側へ突出するように中方立２３に突設されている。
【００６５】
空隙低減部材２３１は、前記ケースからの突出長さが調整可能であるように、図示しないネジを用いて前記ケースに取り付けられている。
作業者は、中方立２３と引戸４との間の離隔距離に応じて、空隙低減部材２３１の突出長さを変更することによって、中方立２３と引戸４との間の空隙を空隙低減部材２３１で塞ぐ。このため、壁本体５及び引戸構造１で仕切られた屋内の２部屋の密閉性が向上し、暖房時の保温性、冷房時の保冷性等が向上される。また、エラストマは引戸４に比べて柔軟であり、容易に撓む。このため、空隙低減部材２３１が引戸４に当接した場合でも、引戸４が損傷することが防止される。
【００６６】
一方、引戸４側の溝２３ｂには、溝２３ｂに沿って溝２３ｂを被覆する棒状の被覆部材２６が取り付けられている。
【００６７】
さて、図１〜図３に示すように、建具枠２の内側右方には、袖壁パネル３を取り付けることによって袖壁３０が形成されている。
この袖壁パネル３は、引戸４と同色、同柄及び同サイズであり、袖壁パネル３と引戸４とはデザインに統一性が持たされている。袖壁パネル３及び引戸４の厚みは、敷居２２の切り欠き２２ｂの幅よりも更に薄い。
【００６８】
袖壁パネル３には矩形状の採光窓３２１，３２２が上下方向に適長離隔して設けられており、引戸４にも、対応する位置に矩形状の採光窓４１１，４１２が設けられている。
引戸４及び袖壁３０となる袖壁パネル３の両方に採光窓４１１，４１２及び採光窓３２１，３２２が対応する位置に設けられているため、引戸４の開閉にかかわらず、採光窓３２１，３２２，４１１，４１２からの充分な採光が行なわれる。
【００６９】
採光窓３２１，３２２は、袖壁パネル３に形成された矩形状の開口に、モール材（細い縁材）を両面から取り付けて、その間に透光性を有する窓ガラスを嵌め殺しにしてなり、採光窓４１１，４１２も同様にして引戸４に形成されている。つまり、採光窓３２１，３２２，４１１，４１２は、光を透過して採光に寄与するが、空気を通過させて、壁本体５で仕切られた２部屋の密閉性を損なうことはない。
また、採光窓３２１，３２２，４１１，４１２は、袖壁パネル３及び引戸４の意匠上の美観を向上させている。
【００７０】
袖壁パネル３及び引戸４夫々の下部両面には、薄い板状部材を用いてなる幅木３４１，３４２及び幅木４４，４４（図１に１個だけ図示）が貼付されている。
ただし、袖壁パネル３の幅木３４２は、幅木３４２下端の袖壁パネル３下端からの高さが敷居２２の厚さに等しくなるよう、袖壁３０に引き込まれた引戸４に対抗する側の面（以下、袖壁パネル３の対向面という）に設けられ、幅木３４１は、引戸４に対向しない側の面（以下、袖壁パネル３の非対向面という）に、幅木３４１下端を袖壁パネル３下端に一致させて設けられている。
幅木３４１，３４２及び幅木４４，４４は、袖壁パネル３及び引戸４夫々の下部両面を保護し、また、袖壁パネル３及び引戸４の意匠上の美観を向上させている。
【００７１】
袖壁パネル３には、袖壁パネル３の非対向面に、図示しない物品の掛止が可能な掛止レール３３１，３３２が設けられている。掛止レール３３１，３３２は、左右方向に沿い、上下方向に適長離隔して採光窓３２１，３２２の間に配されている。この掛止レール３３１，３３２には、例えば掛止レール３３１，３３２に掛止されたフックを介して物品が懸吊される。又は、掛止レール３３１，３３２に掛止された棚の上に物品が載置される。
掛止レール３３１，３３２は、袖壁パネル３の意匠上の美観を向上させている。
引戸４には、掛止レール３３１，３３２に対応する部材は備えられていない。
【００７２】
一方、引戸４の両面には、左右方向両側に、上下方向に沿ったレール状の取っ手４２，４２，…が設けられている。ただし、取っ手４２は図１に１本だけ図示されている。この取っ手４２，４２，…に手を掛けて、使用者は引戸４を開閉する。
また、取っ手４２，４２，…は、引戸４の意匠上の美観を向上させている。
袖壁パネル３には、取っ手４２，４２，…に対応する部材は備えられていない。
【００７３】
袖壁３０を構成する袖壁パネル３は、袖壁パネル３の左右両側端面と中方立２３の縦枠２４２側の面及び縦枠２４２の内面（中方立２３側の面）とが対向し、袖壁パネル３の上端面と鴨居２１の内面（敷居２２側の面）とが対向し、袖壁パネル３の下端面が床に接触するよう建具枠２に取り付けられている。
【００７４】
また、袖壁パネル３は、袖壁パネル３の対向面下部（更に詳細には、袖壁パネル３に関し、幅木３４２の下端から袖壁パネル３下端までの対向面）は、敷居２２の切り欠き２２ｂ内の袖壁パネル３側端面に接触するよう建具枠２に取り付けられている。袖壁パネル３の厚みは、前述したように敷居２２の切り欠き２２ｂの幅よりも更に薄いため、袖壁パネル３の非対向面と建具枠２の側端面とは一面的に隣接しない。
【００７５】
つまり、袖壁パネル３は、上左右端面が建具枠２の内面に対向し、下端面が床に対向するよう建具枠２に囲繞されており、外部に露出している端面を有していない。また、袖壁パネル３と敷居２２との間の接触部に幅木３４２が配されているため、この部分に空隙が生じても、幅木３４２によって被覆される。以上のことから、引戸構造１の美観が向上されている。
【００７６】
ここで、袖壁パネル３の高さは、床から鴨居２１下面までの高さよりも僅かに（約３ｍｍ）短く、袖壁パネル３の左右幅は、中方立２３の縦枠２４２側の面から縦枠２４２の内面までの長さよりも僅かに（約６ｍｍ）短く設けられている。つまり、袖壁パネル３のサイズに対する建具枠２のサイズに余裕が持たせてある。このため、袖壁パネル３が大きすぎて建具枠２内に収まりきらないトラブルが防止される。
【００７７】
ただし、袖壁パネル３のサイズが小さいため、袖壁パネル３の上左右端面と建具枠２との間には空隙が生じる。しかしながら、この空隙の引戸４側は後述する取付補助部材６１，６２，６３に被覆され、また、引戸４の逆側は、前述したように袖壁パネル３の表面と建具枠２の表面とが一面的に隣接しないため空隙が目立たない。なお、引戸４の逆側の空隙を被覆する被覆部材を追加してもよい。
【００７８】
取付補助部材６１，６２，６３は、袖壁パネル３を建具枠２に取り付けるために用いられる。
取付補助部材６１，６２夫々は袖壁パネル３の長辺に沿う断面略矩形の棒状、取付補助部材６３は袖壁パネル３の短辺に沿う断面略矩形の棒状であって、建具枠２の内側に突設されている。具体的には、取付補助部材６１は中方立２３に、取付補助部材６２は縦枠２４２に、取付補助部材６３は鴨居２１に、夫々ビス留め固定されている。
【００７９】
袖壁パネル３には、袖壁パネル３の対向面及び側端面の一部を欠落させるようにして、対向面側左右方向両端部と対向面側上端部に、長手方向に沿う溝状の凹部３１１，３１２，３１３が形成されている。
袖壁パネル３は、凹部３１１，３１２，３１３に取付補助部材６１，６２，６３を嵌め合わせることによって、袖壁パネル３の対向面側端部を取付補助部材６１，６２，６３に突き当てて固定されている。このため、袖壁パネル３の対向面側から見た場合に、袖壁パネル３の上左右端面と建具枠２との間に生じた空隙が、取付補助部材６１，６２，６３に被覆される。
【００８０】
取付補助部材６１，６２，６３夫々には、凹部３１１，３１２，３１３に嵌め合わされる側の周面に、長手方向に凸条部である被覆部６１ａ，６２ａ，６３ａが一体に設けられている。この被覆部６１ａ，６２ａ，６３ａは、袖壁パネル３の対向面に沿って突出し、凹部３１１，３１２，３１３内の袖壁パネル３端面と取付補助部材６１，６２，６３との間の空隙を覆う。
また、取付補助部材６１，６２，６３が凹部３１１，３１２，３１３に嵌め合わされているため、袖壁パネル３の対向面からの取付補助部材６１，６２，６３の突出高さが低減される。
このようにして取付補助部材６１，６２，６３及び凹部３１１，３１２，３１３は、引戸構造１の美観を向上させている。
【００８１】
以上のような引戸構造１においては、引戸４が、壁本体５の開口５ａの内側周縁に取り付けられた建具枠２の鴨居２１及び敷居２２に滑動可能に配され、この引戸４が袖壁３０に対して引き込まれ、また引き出されることで、開口５ａが開閉する。
【００８２】
図５〜図９は、本発明に係る引戸構造施工方法を示す説明図である。
作業者は、予め、開口５ａを有する壁本体５を形成する。壁本体５の開口５ａは単純な矩形状であるため、簡易に形成することができる。
【００８３】
また、作業者は、鴨居２１、敷居２２、中方立２３及び縦枠２４１，２４２となる部材、袖壁パネル３並びに引戸４を準備する。これらの部材、袖壁パネル３及び引戸４は工場で高精度に形成されたものである。
作業者は、鴨居２１、敷居２２及び縦枠２４１，２４２となる部材夫々並びに袖壁パネル３のサイズ及び形状を、壁本体５の開口５ａのサイズ、施工すべき引戸構造１の態様等に応じて調整する。この調整は、壁本体５又は壁本体５に一体に設けられた袖壁のサイズの調整よりも容易に行なうことができる。
【００８４】
まず、図４に示すように、作業者は鴨居２１、敷居２２及び縦枠２４１，２４２となる部材を床に寝かせて建具枠２を組み立てる。この場合、作業者は、縦枠２４１，２４２を鴨居２１、敷居２２の長手方向両端面に一面側を突き当ててビス留めし、中方立２３の上下端部を凹部２１ａ，２２ａに嵌め合わせてビス留めする。
【００８５】
次に、図５に示すように、組み立てられた建具枠２を、壁本体５に形成された開口５ａの内側周縁に、鴨居２１を１箇所、敷居２２を１箇所、及び縦枠２４２を２箇所、夫々ビス留めすることによって仮固定する。この場合、開口５ａの内側周縁と建具枠２との間の空隙は、飼木を用いて埋められる。また、ケーシング２５０〜２５２は、まだ取り付けないでおかれる。
【００８６】
次いで、図６に示すように、作業者は、仮固定された建具枠２の内側に、袖壁パネル３を取り付けるための取付補助部材６１，６２，６３を、夫々複数箇所ビス留めすることによって突設する。
ここで、図７に示すように、例えば壁本体５の間柱５２２に仮固定されている縦枠２４２に取付補助部材６２を、治具７を用いてビス留め固定する。
治具７は横断面略Ｌ字の棒状であり、一側内面を縦枠２４２側面に沿わせ、他側端面に取付補助部材６２を突き当てることによって、縦枠２４２に対し取付補助部材６２を位置決めする。取付補助部材６１，６３に関しても、治具７を用いて同様に鴨居２１及び中方立２３夫々に対する位置決めを行なう。
【００８７】
治具７は、建具枠２に対する取付補助部材６１，６２，６３の位置決めを容易にするため、作業者は取付補助部材６１，６２，６３を、正確な位置に、しかも容易に突設することができる。また、後述するように、この取付補助部材６１，６２，６３に袖壁パネル３を突き当てて位置決めするため、作業者は袖壁パネル３を正確な位置に、容易に固定することができる。つまり、治具７を用いることによって、袖壁パネル３の取付精度が容易に向上される。
【００８８】
次に、図８に示すように、建具枠２に突設された取付補助部材６１，６２，６３を凹部３１１，３１２，３１３に嵌め合わせることによって、取付補助部材６１，６２，６３に袖壁パネル３の対向面側端部を突き当てて袖壁パネル３を位置決めしつつ、鴨居２１、床、中方立２３及び縦枠２４２と袖壁パネル３の上下左右端面とを対向させる。
そして、袖壁パネル３を取付補助部材６１，６２，６３と切り欠き２２ｂ内面に押し付けつつ袖壁パネル３側から袖壁パネル３を取付補助部材６１，６２，６３と床とにビス留め固定し、次いで、取付補助部材６１，６２，６３から袖壁パネル３を取付補助部材６１，６２，６３にビス留め固定する。
【００８９】
袖壁パネル３のビス留め後、幅木３４１，３４２となる部材を袖壁パネル３の非対向面及び対向面夫々に両面テープで貼着する。
【００９０】
このように、取付補助部材６１，６２，６３を介して袖壁パネル３が建具枠２に取り付けられることによって、袖壁３０が形成される。また、袖壁パネル３と建具枠２との間は取付補助部材６１，６２，６３によって目隠しされ、袖壁パネル３と取付補助部材６１，６２，６３との間は取付補助部材６１，６２，６３の被覆部６１ａ，６２ａ，６３ａによって目隠しされる。
ここで、取付補助部材６１，６２，６３に対する袖壁パネル３の突き当て及び取り付けは、作業者にとって短時間で施工可能な簡易な作業である。
【００９１】
最後に、図９に示すように、作業者は、袖壁パネル３が取り付けられた建具枠２を壁本体５の開口５ａの内側周縁に本固定する。具体的には、鴨居２１及び縦枠２４１，２４２夫々を５箇所ずつ、壁本体５にビス留めし、敷居２２を５箇所、床にビス留めする。このとき、建具枠２は仮固定された状態であるため、作業者は、建具枠２の歪みを矯正して、建具枠２の取付精度を向上させる。また、ケーシング２５０〜２５２を取り付けて、建具枠２のサイズと壁本体５の厚みとの差を吸収し、また、建具枠２と壁本体５との間を目隠しする。
【００９２】
それから、作業者は、中方立２３に空隙低減部材２３１を取り付ける。
更に作業者は、鴨居２１と敷居２２との間に、引戸４を滑動可能に取り付ける。
なお、各部のビス留め後、ビス留めの際に生じたビス穴に、ビス穴キャップを嵌め込んで引戸構造１の美観を向上させることが好ましい。
【００９３】
以上のような引戸構造施工方法は、引戸４のサイズに応じて袖壁パネル３を簡易に形成することができ、しかも、単純な形状の壁本体５開口５ａの内側周縁に建具枠２を容易に取り付けることができ、この建具枠２に袖壁パネル３を簡易に取り付けることで容易に袖壁３０を形成することができる。つまり、引戸４のサイズに応じた袖壁３０の形成作業、更には引戸構造１の形成作業を簡易に、かつ短時間で行なうことができる。
また、袖壁パネル３を取り付けるか取り付けないか、又は袖壁パネル３のサイズを変更することによって、壁本体５開口５ａの形状を容易に変更することができる。
【００９４】
なお、引戸構造は、本実施の形態のような１枚の引戸４及び１枚の袖壁パネル３を備える片引戸構造に限るものではない。例えば、２枚の引戸を左右の袖壁に引き分ける構成、２枚以上の引戸を１枚の袖壁に引き込む構成でもよい。ただし、２枚以上の引戸を１枚の袖壁に引き込む構成の場合、１枚の引戸の移動に応じて他の引戸も同一方向へ移動する構成であることが好ましい。
【００９５】
また、袖壁パネル及び引戸に採光窓を設けない構成でもよく、逆に、全面ガラス張りでもよい。更に、袖壁パネル及び引戸の一方にのみ採光窓を設けてもよい。
更にまた、引戸と袖壁パネルとのデザインを更に一致させるために、袖壁パネル（引戸）にも取っ手レール（掛止レール）に相当するレールを設けてもよく、袖壁パネルに掛止レールを設けなくてもよい。また、袖壁パネルの対向面に掛止レールを設けてもよい。
【図面の簡単な説明】
【００９６】
【図１】本発明に係る引戸構造の構成を示す正面図である。
【図２】図１におけるII−II線の断面図である。
【図３】図２におけるIII −III 線の断面図である。
【図４】本発明に係る引戸構造が備える建具枠の構成を示す分解斜視図である。
【図５】本発明に係る引戸構造施工方法を示す説明図である。
【図６】本発明に係る引戸構造施工方法を示す説明図である。
【図７】本発明に係る引戸構造施工方法を示す説明図である。
【図８】本発明に係る引戸構造施工方法を示す説明図である。
【図９】本発明に係る引戸構造施工方法を示す説明図である。
【符号の説明】
【００９７】
１    引戸構造
２    建具枠
２１  鴨居
２２  敷居
２３  中方立
２３１  空隙低減部材
２４１  縦枠
２４２  縦枠
３    袖壁パネル
３０  袖壁
３１１，３１２，３１３  凹部
３２１，３２２  採光窓
３３１，３３２  掛止レール（レール）
４    引戸
５    壁本体
５ａ  開口
６１，６２，６３  取付補助部材
６１ａ，６２ａ，６３ａ  被覆部
７    治具
【図１】
2007247150.tif 000003
【図２】
2007247150.tif 000004
【図３】
2007247150.tif 000005
【図４】
2007247150.tif 000006
【図５】
2007247150.tif 000007
【図６】
2007247150.tif 000008
【図７】
2007247150.tif 000009
【図８】
2007247150.tif 000010
【図９】
2007247150.tif 000011